(57)【要約】【課題】太陽熱集熱装置を組み立てるさいの作業性が優れ、かつ熱媒温度検出器の保守作業が容易である太陽熱集熱装置を提供する。【解決手段】太陽熱集熱器１と、貯湯槽２と、太陽熱集熱器１で加熱された熱媒と貯湯槽２内の水との間で熱交換させる熱交換器３と、太陽熱集熱器１と熱交換器３との間で熱媒を循環させる循環ポンプ６と、循環ポンプ６を制御する制御装置８とを備えている。制御装置８に、太陽熱集熱器１を通過した熱媒の温度を検出する熱媒温度検出器２３と、貯湯槽２内の水の温度を検出する水温度検出器２４とを接続する。制御装置８は、熱媒温度検出器２３で検出された熱媒温度と、水温度検出器２４で検出された水温度との差温に基づいて、循環ポンプ８の作動、停止を制御する。熱媒温度検出器２３を、太陽熱集熱器１から熱交換器３に熱媒を送る配管４における貯湯槽２の近傍部分に設ける。【選択図】　　　図１
2004044952.tif 000002
【特許請求の範囲】
【請求項１】
太陽熱集熱器と、貯湯槽と、太陽熱集熱器で加熱された熱媒と貯湯槽内の水との間で熱交換させる熱交換器と、太陽熱集熱器と熱交換器との間で熱媒を循環させる循環ポンプと、循環ポンプを制御する制御装置と、制御装置に接続されかつ熱媒の温度を検出する熱媒温度検出器と、制御装置に接続されかつ貯湯槽内の水の温度を検出する水温度検出器とを備えており、制御装置が、熱媒温度検出器で検出された熱媒の温度と、水温度検出器で検出された水の温度との差温に基づいて、循環ポンプの作動、停止を制御するようになされている太陽熱集熱装置であって、
熱媒温度検出器が、太陽熱集熱器から熱交換器に熱媒を送る配管における貯湯槽の近傍部分に設けられていることを特徴とする太陽熱集熱装置。
【請求項２】
制御装置に、外気温を検出する外気温検出器が接続されており、制御装置が、外気温を時系列的に測定し、任意の時点での外気温とこれよりも所定時間前の外気温の差温に基づいて、循環ポンプを予備的に起動させるようになされている請求項１記載の太陽熱集熱装置。
【請求項３】
制御装置に時計が接続されており、制御装置が、外気温の時系列的な測定を開始した後外気温の差温を求める前に、時計に基づいて日照時間帯であることを判断するようになされている請求項２記載の太陽熱集熱装置。
【請求項４】
太陽熱集熱器が、互いに間隔をおいて配された入口ヘッダおよび出口ヘッダと、両ヘッダ間に配されかつ両端が両ヘッダに接続された熱媒流通管と、熱媒流通管に固定された集熱板とを備えた集熱器ユニットを複数並べることにより形成されている請求項１〜３のうちのいずれかに記載の太陽熱集熱装置。
【請求項５】
熱交換器が貯湯槽内に配されており、この貯湯槽と、循環ポンプと、熱媒温度検出器と、水温度検出器と、制御装置とが１つのハウジングに設けられてモジュール化されている請求項１〜４のうちのいずれかに記載の太陽熱集熱装置。
【請求項６】
ハウジングと、ハウジング内に配された貯湯槽と、貯湯槽内に配された熱交換器と、ハウジング内に配され、かつ一端部が熱交換器の入口に接続されるとともに他端部がハウジング外に導出された熱媒供給管と、ハウジング内に配され、かつ一端部が熱交換器の出口に接続されるとともに他端部がハウジング外に導出された熱媒排出管と、ハウジング内に配され、かつ太陽熱集熱器と熱交換器との間で熱媒を循環させる循環ポンプと、ハウジング内において熱媒供給管に設けられかつ熱媒供給管内を流れる熱媒の温度を検出する熱媒温度検出器と、貯湯槽に設けられかつ貯湯槽内の水の温度を検出する水温度検出器と、ハウジングに設けられ、かつ熱媒温度検出器で検出された熱媒の温度と、水温度検出器で検出された水の温度との差温に基づいて、循環ポンプの作動、停止を制御する制御装置とを備えている太陽熱集熱装置用貯湯装置。
【請求項７】
ハウジング内において熱媒排出管に設けられた膨張タンクを備えている請求項６記載の太陽熱集熱装置用貯湯装置。
【請求項８】
太陽熱集熱器と、貯湯槽と、太陽熱集熱器で加熱された熱媒と貯湯槽内の水との間で熱交換させる熱交換器と、太陽熱集熱器と熱交換器との間で熱媒を循環させる循環ポンプと、循環ポンプを制御する制御装置とを備えた太陽熱集熱装置の運転方法であって、
貯湯槽の近傍において太陽熱集熱器から熱交換器に送られる熱媒の温度を検出するとともに、貯湯槽内の水の温度を検出して両者の差温を求め、熱媒の温度が水の温度よりも所定温度以上高くなった場合に循環ポンプを作動させて集熱運転を行い、熱媒と水との差温が所定温度未満となった場合に循環ポンプを停止させることを特徴とする太陽熱集熱装置の運転方法。
【請求項９】
外気温を時系列的に検出し、任意の時点での外気温が、これよりも所定時間前の外気温よりも所定温度以上高くなった場合に、循環ポンプを予備的に起動させ、貯湯槽の近傍において太陽熱集熱器から熱交換器に送られる熱媒の温度を検出するとともに、貯湯槽内の水の温度を検出する請求項８記載の太陽熱集熱装置の運転方法。
【請求項１０】
外気温の時系列的な測定を開始した後外気温の差温を求める前に、時計に基づいて日照時間帯であることを判断する請求項９記載の太陽熱集熱装置の運転方法。
【発明の詳細な説明】
【０００１】
【発明の属する技術分野】
この発明は、太陽熱集熱装置およびその運転方法に関し、さらに詳しくは、太陽熱集熱器と、貯湯槽と、太陽熱集熱器で加熱された熱媒と貯湯槽内の水との間で熱交換させる熱交換器と、太陽熱集熱器と熱交換器との間で熱媒を循環させる循環ポンプと、循環ポンプを制御する制御装置とを備えた太陽熱集熱装置およびその運転方法に関する。
【０００２】
【従来の技術】
太陽熱集熱装置として、従来、太陽熱集熱器と、貯湯槽と、貯湯槽内に配されかつ太陽熱集熱器で加熱された熱媒と貯湯槽内の水との間で熱交換させる熱交換器と、太陽熱集熱器と熱交換器との間で熱媒を循環させる循環ポンプと、循環ポンプを制御する制御装置と、太陽熱集熱器に取り付けられるとともに制御装置に接続され、かつ太陽熱集熱器内の熱媒の温度を検出する熱媒温度検出器と、貯湯槽に設けられるとともに制御装置に接続され、かつ貯湯槽内の水の温度を検出する水温度検出器とを備えており、制御装置が、熱媒温度検出器で検出された熱媒の温度と、水温度検出器で検出された水の温度との差温に基づいて、循環ポンプの作動、停止を制御するようになされているものが知られている（特開平１０−１８５３３２号公報参照）。
【０００３】
通常、従来の太陽熱集熱装置においては、熱交換器を有する貯湯槽と、循環ポンプと、水温度検出器と、制御装置とが１つのハウジングに設けられてモジュール化されて貯湯装置が構成されている。また、太陽熱集熱器は、互いに間隔をおいて配された入口ヘッダおよび出口ヘッダと、両ヘッダ間に配されかつ両端が両ヘッダに接続された熱媒流通管と、熱媒流通管に固定された集熱板とを備えた集熱器ユニットを複数並べることにより形成されており、いずれか１つの集熱器ユニットの集熱板に熱媒温度検出器が取り付けられている。そして、たとえば家屋の屋根上に太陽熱集熱器を設置するとともに地上に貯湯装置を設置し、その後熱媒温度検出器と制御装置とを配線で接続するとともに、太陽熱集熱器と熱交換器とを配管で接続することによって、太陽熱集熱装置が組み立てられている。
【０００４】
【発明が解決しようとする課題】
しかしながら、従来の太陽熱集熱装置では、屋根上の太陽熱集熱器に取り付けられた熱媒温度検出器と、地上に設置された貯湯装置の制御装置とを配線により接続する作業が面倒である。また、熱媒温度検出器に不具合が発生した場合、その点検、修理、交換等の保守作業を行うために屋根に上らなくてはならず、その作業が面倒である。また、制御装置と熱媒温度検出器のマッチングの理由から、制御装置が組み込まれた貯湯装置と熱媒温度検出器が取り付けられた太陽熱集熱器は同一メーカのものを用いる必要があり、太陽熱集熱器と貯湯装置との組み合わせの自由度がない。さらに、太陽熱集熱器が複数の集熱器ユニットからなり、いずれか１つの集熱器ユニットの集熱板に熱媒温度検出器が取り付けられているので、集熱器ユニットとして、熱媒温度検出器付きのものとそうではないものとを別々に製作する必要があり、製作工程の管理が面倒である。
【０００５】
この発明の目的は、上記問題を解決し、太陽熱集熱装置を組み立てるさいの作業性が優れているとともに、熱媒温度検出器の保守作業が容易である太陽熱集熱装置およびその運転方法を提供することにある。
【０００６】
この発明の他の目的は、太陽熱集熱器と貯湯装置との組み合わせの自由度を増加させることができるとともに、太陽熱集熱器が複数の集熱器ユニットからなる場合の各集熱器ユニットの製作工程の管理が容易である太陽熱集熱装置を提供することにある。
【０００７】
【課題を解決するための手段】
請求項１の発明による太陽熱集熱装置は、太陽熱集熱器と、貯湯槽と、太陽熱集熱器で加熱された熱媒と貯湯槽内の水との間で熱交換させる熱交換器と、太陽熱集熱器と熱交換器との間で熱媒を循環させる循環ポンプと、循環ポンプを制御する制御装置と、制御装置に接続されかつ熱媒の温度を検出する熱媒温度検出器と、制御装置に接続されかつ貯湯槽内の水の温度を検出する水温度検出器とを備えており、制御装置が、熱媒温度検出器で検出された熱媒の温度と、水温度検出器で検出された水の温度との差温に基づいて、循環ポンプの作動、停止を制御するようになされている太陽熱集熱装置であって、熱媒温度検出器が、太陽熱集熱器から熱交換器に熱媒を送る配管における貯湯槽の近傍部分に設けられていることを特徴とするものである。
【０００８】
請求項２の発明による太陽熱集熱装置は、請求項１の発明において、制御装置に、外気温を検出する外気温検出器が接続されており、制御装置が、外気温を時系列的に測定し、任意の時点での外気温とこれよりも所定時間前の外気温の差温に基づいて、循環ポンプを予備的に起動させるようになされているものである。
【０００９】
請求項３の発明による太陽熱集熱装置は、請求項２の発明において、制御装置に時計が接続されており、制御装置が、外気温の時系列的な測定を開始した後外気温の差温を求める前に、時計に基づいて日照時間帯であることを判断するようになされているものである。
請求項４の発明による太陽熱集熱装置は、請求項１〜３のうちのいずれかの発明において、太陽熱集熱器が、互いに間隔をおいて配された入口ヘッダおよび出口ヘッダと、両ヘッダ間に配されかつ両端が両ヘッダに接続された熱媒流通管と、熱媒流通管に固定された集熱板とを備えた集熱器ユニットを複数並べることにより形成されているものである。
【００１０】
請求項５の発明による太陽熱集熱装置は、請求項１〜４のうちのいずれかの発明において、熱交換器が貯湯槽内に配されており、この貯湯槽と、循環ポンプと、熱媒温度検出器と、水温度検出器と、制御装置とが１つのハウジングに設けられてモジュール化されているものである。
【００１１】
請求項６の発明による太陽熱集熱装置用貯湯装置は、ハウジングと、ハウジング内に配された貯湯槽と、貯湯槽内に配された熱交換器と、ハウジング内に配され、かつ一端部が熱交換器の入口に接続されるとともに他端部がハウジング外に導出された熱媒供給管と、ハウジング内に配され、かつ一端部が熱交換器の出口に接続されるとともに他端部がハウジング外に導出された熱媒排出管と、ハウジング内に配され、かつ太陽熱集熱器と熱交換器との間で熱媒を循環させる循環ポンプと、ハウジング内において熱媒供給管に設けられかつ熱媒供給管内を流れる熱媒の温度を検出する熱媒温度検出器と、貯湯槽に設けられかつ貯湯槽内の水の温度を検出する水温度検出器と、ハウジングに設けられ、かつ熱媒温度検出器で検出された熱媒の温度と、水温度検出器で検出された水の温度との差温に基づいて、循環ポンプの作動、停止を制御する制御装置とを備えているものである。
【００１２】
請求項７の発明による太陽熱集熱装置用貯湯装置は、請求項６の発明において、ハウジング内において熱媒排出管に設けられた膨張タンクを備えているものである。
【００１３】
請求項８の発明による太陽熱集熱装置の運転方法は、太陽熱集熱器と、貯湯槽と、太陽熱集熱器で加熱された熱媒と貯湯槽内の水との間で熱交換させる熱交換器と、太陽熱集熱器と熱交換器との間で熱媒を循環させる循環ポンプと、循環ポンプを制御する制御装置とを備えた太陽熱集熱装置の運転方法であって、貯湯槽の近傍において太陽熱集熱器から熱交換器に送られる熱媒の温度を検出するとともに、貯湯槽内の水の温度を検出して両者の差温を求め、熱媒の温度が水の温度よりも所定温度以上高くなった場合に循環ポンプを作動させて集熱運転を行い、熱媒と水との差温が所定温度未満となった場合に循環ポンプを停止させることを特徴とするものである。
【００１４】
請求項９の発明による太陽熱集熱装置の運転方法は、請求項８の発明において、外気温を時系列的に検出し、任意の時点での外気温が、これよりも所定時間前の外気温よりも所定温度以上高くなった場合に、循環ポンプを予備的に起動させ、貯湯槽の近傍において太陽熱集熱器から熱交換器に送られる熱媒の温度を検出するとともに、貯湯槽内の水の温度を検出するものである。
【００１５】
請求項１０の発明による太陽熱集熱装置の運転方法は、請求項９の発明において、外気温の時系列的な測定を開始した後外気温の差温を求める前に、時計に基づいて日照時間帯であることを判断するものである。
【００１６】
【発明の実施形態】
以下、この発明の実施形態を、図面を参照して説明する。
【００１７】
図１はこの発明による太陽熱集熱装置の全体構成を概略的に示し、図２は太陽熱集熱器の構成を示す。
【００１８】
図１において、太陽熱集熱装置は不凍液や水からなる熱媒を用いるものであって、太陽熱を利用して熱媒を加熱する太陽熱集熱器（１）と、貯湯槽（２）と、貯湯槽（２）内に配されかつ太陽熱集熱器（１）で加熱された熱媒と貯湯槽（２）内の水との間で熱交換させる熱交換器（３）と、太陽熱集熱器（１）内の熱媒を熱交換器（３）に送る熱媒送り配管（４）と、熱交換器（３）を通過した熱媒を太陽熱集熱器（１）に戻す熱媒戻し配管（５）と、熱媒戻し配管（５）の途中に設けられかつ太陽熱集熱器（１）と熱交換器（３）との間で熱媒を循環させる循環ポンプ（６）と、熱媒戻し配管（５）における貯湯槽（２）と循環ポンプ（６）との間に設けられかつ熱媒の膨張、収縮を吸収する膨張タンク（７）と、循環ポンプ（６）を制御する制御装置（８）とを備えている。
【００１９】
図２に示すように、太陽熱集熱器（１）は、ケーシング（１１）内に互いに間隔をおいて配された入口ヘッダ（１２）および出口ヘッダ（１３）と、両ヘッダ（１２）（１３）間に配されかつ両端が両ヘッダ（１２）（１３）に接続された熱媒流通管（１４）と、熱媒流通管（１４）に固定された集熱板（１５）とを備えた集熱器ユニット（１０）が、複数並べられることにより構成されている。全ての集熱器ユニット（１０）の出口ヘッダ（１３）から送り出された熱媒が熱媒送り配管（４）に流入して熱交換器（３）に送られ、熱交換器（３）から熱媒戻し配管（５）を通って戻された熱媒が全ての集熱器ユニット（１０）の入口ヘッダ（１２）に分かれて流入するようになっている。また、全ての集熱器ユニット（１０）の入口ヘッダ（１２）どうしおよび出口ヘッダ（１３）どうしが連通管により接続されており、１つの集熱器ユニット（１０）の入口ヘッダ（１２）に流入した熱媒が連通管を通って全ての集熱器ユニット（１０）の入口ヘッダ（１２）に行き渡り、熱媒流通管（１４）を通って各集熱器ユニット（１０）の出口ヘッダ（１３）に流入し、連通管を通っていずれか１つの集熱器ユニット（１０）の出口ヘッダ（１３）に流入した後熱媒送り配管（４）に送り出されるようになっている場合もある。
【００２０】
熱交換器（３）を内蔵した貯湯槽（２）、循環ポンプ（６）、膨張タンク（７）および制御装置（８）が１つのハウジング（１６）内に設けられることによりこれらがモジュール化され、貯湯装置（１７）を構成している。制御装置（８）はハウジング（１６）の周壁に設けられた窓（図示略）を利用して、ハウジング（１６）の外部から操作されるようになっている。貯湯装置（１７）は、ハウジング（１６）内に配され、かつ一端部が熱交換器（３）の入口に接続されるとともに他端部がハウジング（１６）外に導出された熱媒供給管（１８）と、ハウジング（１６）内に配され、かつ一端部が熱交換器（３）の出口に接続されるとともに他端部がハウジング（１６）外に導出された熱媒排出管（１９）とを備えている。そして、熱媒供給管（１８）におけるハウジング（１６）外に導出された端部と、太陽熱集熱器（１）の出口とが導管（２１）により接続されることにより熱媒送り配管（４）が形成されている。また、熱媒排出管（１９）におけるハウジング（１６）外に導出された端部と、太陽熱集熱器（１）の入口とが導管（２２）により接続されることにより熱媒戻し配管（５）が形成されている。また、貯湯装置（１７）は、ハウジング（１６）内において熱媒供給管（１８）に設けられるとともに制御装置（８）に接続され、かつ熱媒供給管（１８）内を流れる熱媒の温度を検出する熱媒温度検出器（２３）と、貯湯槽（２）に設けられるとともに制御装置（８）に接続され、かつ貯湯槽（２）内の水の温度を検出する水温度検出器（２４）とを備えている。
【００２１】
制御装置（８）に、ハウジング（１６）内に配されかつ外気温を検出する外気温検出器（２５）と、タイマ（２６）とが接続されている。そして、制御装置（８）には、外気温を時系列的に測定し、任意の時点での外気温（Ｔａ）と、これよりも所定時間前の外気温（Ｔｂ）との差温（Ｔａ−Ｔｂ）に基づいて、循環ポンプ（６）を予備的に起動させるか否かを判断するための第１の基準温度（Ｘ１）が設定されている。また、制御装置（８）には、循環ポンプ（６）が予備的に起動させられて熱媒が太陽熱集熱器（１）から熱交換器（３）に送られたさいに、熱媒温度検出器（２３）で検出された熱媒温度（ＴＨ）と、水温度検出器（２４）で検出された水温度（ＴＬ）との差温（ＴＨ−ＴＬ）に基づいて、循環ポンプ（６）の作動を続けて太陽熱集熱装置の集熱運転を開始するか否かを判断するための第２の基準温度（Ｘ２）が設定されている。さらに、制御装置（８）には、太陽熱集熱装置の集熱運転を開始した後、熱媒温度検出器（２３）で検出された熱媒温度（ＴＨ）と、水温度検出器（２４）で検出された水温度（ＴＬ）との差温（ＴＨ−ＴＬ）に基づいて、循環ポンプ（６）の作動を続けるか否かを判断する第３の基準温度（Ｘ３）が設定されている。なお、第３基準温度（Ｘ３）は第２基準温度（Ｘ２）よりも低い。
【００２２】
タイマ（２６）は、外気温検出開始時点からの時間（ｔ１）、外気温の差温（Ｔａ−Ｔｂ）を求め始めてからの時間（ｔ２）、および循環ポンプ（６）が予備的に起動されてからの時間（ｔ３）を計測するようになっている。一方、制御装置（８）には、外気温検出開始時点からの時間（ｔ１）に基づいて、差温（Ｔａ−Ｔｂ）を求めるか否かを判断するための第１の基準時間（Ｙ１）、外気温の差温（Ｔａ−Ｔｂ）を求め始めてからの時間（ｔ２）に基づいて、差温（Ｔａ−Ｔｂ）が第１基準温度（Ｘ１）未満の場合であっても循環ポンプ（６）を予備的に起動するか否かを判断するための第２の基準時間（Ｙ２）、および循環ポンプ（６）が予備的に起動されてからの時間（ｔ３）に基づいて、差温（ＴＨ−ＴＬ）を求めるか否かを判断するための第３の基準時間（Ｙ３）が設定されている。第３の基準時間（Ｙ３）は、循環ポンプ（６）の起動後、太陽熱集熱器（１）を通過した熱媒が熱媒送り配管（４）の熱媒温度検出器（２３）に至るまでに要する時間である。
【００２３】
次に、図３に示すフローチャートを参照して、太陽熱集熱装置の運転方法について説明する。
【００２４】
制御装置（８）は、外気温検出器（２５）による外気温の時系列的な検出を開始し（ステップＳ１）、外気温検出開始時点からの時間（ｔ１）と第１基準時間（Ｙ１）とを比較する（ステップＳ２）。外気温検出開始時点からの時間（ｔ１）が第１基準時間（Ｙ１）以上になっている場合には、制御装置（８）は、任意の時点での外気温（Ｔａ）と、これよりも所定時間前の外気温（Ｔｂ）との差温（Ｔａ−Ｔｂ）を求め、この差温（Ｔａ−Ｔｂ）と第１基準温度（Ｘ１）とを比較し（ステップＳ３）、差温（Ｔａ−Ｔｂ）が第１基準温度（Ｘ１）以上であれば、循環ポンプ（６）を起動させる（ステップＳ４）。なお、ステップＳ２は、外気温検出開始時点からの時間（ｔ１）が第１基準時間（Ｙ１）以上となるまで繰り返される。ステップＳ３において、外気温の差温（Ｔａ−Ｔｂ）が第１基準温度（Ｘ１）よりも小さい場合には、制御装置（８）は、ステップＳ３を開始した時点からの時間（ｔ２）を調べ（ステップＳ５）、この時間（ｔ２）が第２基準時間（Ｙ２）を経過した場合にステップＳ４に進んで循環ポンプ（６）を起動させる。ステップＳ５において、ステップＳ３を開始した時点からの時間（ｔ２）が第２基準時間（Ｙ２）を経過していない場合には、ステップＳ３に戻る。
【００２５】
循環ポンプ（６）が起動した後、制御装置（８）は、循環ポンプ（６）の起動時点からの時間（ｔ３）を調べ（ステップＳ６）、この時間（ｔ３）が第３基準時間（Ｙ３）以上になっている場合に、熱媒温度検出器（２３）により検出された熱媒温度（ＴＨ）と水温度検出器（２４）により検出された水温度（ＴＬ）との差温（ＴＨ−ＴＬ）を求め、この差温（ＴＨ−ＴＬ）を第２基準温度（Ｘ２）と比較する（ステップＳ７）。ステップＳ７において、熱媒温度（ＴＨ）と水温度（ＴＬ）との差温（ＴＨ−ＴＬ）が第２基準温度（Ｘ２）以上の場合には、ステップＳ８に進み、熱媒温度（ＴＨ）と水温度（ＴＬ）との差温（ＴＨ−ＴＬ）を、第３基準温度（Ｘ３）と比較する。そして、差温（ＴＨ−ＴＬ）が第３基準温度（Ｘ３）以上である限り循環ポンプ（６）の運転を続け、これにより太陽熱集熱装置の集熱運転が行われる。ステップＳ７において、熱媒温度（ＴＨ）と水温度（ＴＬ）との差温（ＴＨ−ＴＬ）が第３基準温度（Ｘ３）よりも小さい場合には、制御装置（８）は循環ポンプ（６）を停止させる（ステップＳ９）。また、制御装置（８）は、ステップＳ８において、熱媒温度（ＴＨ）と水温度（ＴＬ）との差温（ＴＨ−ＴＬ）が第３基準温度（Ｘ３）よりも小さくなった場合には、ステップＳ９に進んで循環ポンプ（６）を停止させる。循環ポンプ（６）を停止させた後、ステップＳ３に戻る。
【００２６】
この発明による太陽熱集熱装置の他の実施形態は、図示は省略したが、制御装置（８）に時計が接続されることである。この場合、制御装置（８）は、上記実施形態の場合と同様に、外気温の時系列的な検出を開始した後外気温の差温を求める前に、時計に基づいて日照時間帯であることを判断することがある。
【００２７】
この場合の太陽熱集熱装置の運転方法は、図４に示すフローチャートに示すとおりである。
【００２８】
図４において、図３に示すフローチャートとの相違は、ステップＳ２とステップＳ３との間において、時計に基づいて日照時間であるか否かを判断するステップＳ１０が設けられていることにある。そして、ステップＳ９で循環ポンプ（６）を停止させた後、ステップＳ１０に戻る。
【００２９】
上述した実施形態において、太陽熱集熱器として、図２に示す形式のものに代えて、公知の真空管形式のものを用いてもよい。
【００３０】
【発明の効果】
請求項１の発明によれば、太陽熱集熱器から熱交換器に送られる熱媒の温度を検出する熱媒温度検出器が、太陽熱集熱器から熱交換器に熱媒を送る配管における貯湯槽の近傍部分に設けられているので、熱媒温度検出器と制御装置との配線による接続作業が、熱媒温度検出器が屋根上に設けられた従来の太陽熱集熱装置の場合に比べて極めて容易になる。また、熱媒温度検出器に不具合が発生した場合の点検、修理、交換等の保守作業性が、熱媒温度検出器が屋根上に設けられた従来の太陽熱集熱装置の場合に比べて、優れたものになる。
【００３１】
請求項２の発明によれば、次のような作用効果を奏する。すなわち、熱媒温度検出器により太陽熱集熱器から熱交換器に送られる熱媒の温度を検出するには、太陽熱集熱装置の本運転の前に、予備的に循環ポンプを作動させる必要がある。制御装置に、外気温を検出する外気温検出器が接続されており、制御装置が、外気温を時系列的に測定し、任意の時点での外気温とこれよりも所定時間前の外気温の差温に基づいて、循環ポンプを予備的に起動させるようになされていると、任意の時点での外気温がこれよりも所定時間前の外気温よりも所定温度以上高くなった場合に循環ポンプを予備的に起動させることができる。そして、任意の時点での外気温が、これよりも所定時間前の外気温よりも所定温度以上高くなる場合とは、通常、日照が開始された場合であるから、日照時間帯において確実に太陽熱集熱装置を運転させることができる。
【００３２】
請求項３の発明によれば、日照時間帯における太陽熱集熱装置の運転を一層確実に行うことができる。
【００３３】
請求項４の発明によれば、次の作用効果を奏する。すなわち、熱媒温度検出器が、太陽熱集熱器から熱交換器に熱媒を送る配管における貯湯槽の近傍部分に設けられていることから、太陽熱集熱器を構成するいずれの集熱器ユニットにも熱媒温度検出器を取り付ける必要がない。したがって、集熱器ユニットとして同一構成のものを制作するだけでよく、製作工程の管理が容易である。
【００３４】
請求項５の発明によれば、次のような効果を奏する。すなわち、熱交換器が貯湯槽内に配されており、この貯湯槽と、循環ポンプと、熱媒温度検出器と、水温度検出器と、制御装置とが１つのハウジングに設けられてモジュール化されていると、熱媒温度検出器と制御装置をマッチングさせておけば、このモジュール化されたものと太陽熱集熱器とは、別メーカのものを用いることができる。したがって、モジュール化されたものと太陽熱集熱器との組み合わせの選択の自由度が増す。
【００３５】
請求項６の発明によれば、太陽熱集熱装置用貯湯装置と太陽熱集熱器とを配管するだけでよいので、太陽熱集熱装置の組み立て作業が簡単になる。しかも、太陽熱集熱装置用貯湯装置における熱媒温度検出器と制御装置をマッチングさせておけば、この貯湯装置と太陽熱集熱器とは、別メーカのものを用いることができる。したがって、モジュール化されたものと太陽熱集熱器との組み合わせの選択の自由度が増す。たとえば、上述した従来の太陽熱集熱装置において、貯湯槽、熱交換器、循環ポンプ、水温度検出器および制御装置のうちの少なくとも１つが破損した場合、これらに代えて請求項６の貯湯装置を用いることも可能になる。
【００３６】
請求項７の発明によれば、これと太陽熱集熱器とを配管するだけでよいので、太陽熱集熱装置の組み立て作業が簡単になる。
【００３７】
請求項８の発明によれば、貯湯槽の近傍において太陽熱集熱器から熱交換器に送られる熱媒の温度を検出しているので、貯湯槽の近傍に熱媒温度検出器を設ければよく、請求項１の発明と同様な効果を奏する。
【００３８】
請求項９の発明によれば、請求項２の発明と同様な効果を奏する。
【００３９】
請求項１０の発明によれば、請求項３の発明と同様な効果を奏する。
【図面の簡単な説明】
【図１】この発明による太陽熱集熱装置の全体構成を示す概略図である。
【図２】太陽熱集熱装置に用いられる太陽熱集熱器を示す概略図である。
【図３】太陽熱集熱装置の運転方法を示すフローチャートである。
【図４】太陽熱集熱装置の他の運転方法を示すフローチャートである。
【符号の説明】
（１）：太陽熱集熱装置
（２）：貯湯槽
（３）：熱交換器
（６）：循環ポンプ
（７）：膨張タンク
（８）：制御装置
（１０）：集熱器ユニット
（１２）：入口ヘッダ
（１３）：出口ヘッダ
（１４）：熱媒流通管
（１５）：集熱板
（１６）：ハウジング
（１７）：貯湯装置
（１８）：熱媒供給管
（１９）：熱媒排出管
（２３）：熱媒温度検出器
（２４）：水温度検出器
（２５）：外気温検出器
（２６）：タイマ
【図１】
2004044952.tif 000003
【図２】
2004044952.tif 000004
【図３】
2004044952.tif 000005
【図４】
2004044952.tif 000006